【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
制御部と入力部と表示部とを少なくとも備えた端末装置、および、記憶部と制御部とを少なくとも備えたサーバ装置を、通信可能に接続した地点履歴検索システムであって、
上記サーバ装置の上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記サーバ装置の上記制御部は、
上記端末装置から送信される、日時または位置に関する検索条件を受信する検索条件受信手段と、
上記検索条件に従って、上記位置履歴情報記憶手段から上記位置履歴情報を検索する検索手段と、
上記検索手段により検索された上記位置履歴情報の検索結果を示す検索結果情報を生成する検索結果情報生成手段と、
上記検索結果情報生成手段により生成された上記検索結果情報を、上記端末装置に送信する検索結果送信手段と、
を備え、
上記端末装置の上記制御部は、
上記検索条件を、上記入力部を介して入力させる検索条件入力手段と、
上記検索条件入力手段により入力された上記検索条件を、上記サーバ装置に送信する検索条件送信手段と、
上記サーバ装置から送信される、上記検索結果情報を受信する検索結果受信手段と、
上記検索結果受信手段により受信された上記検索結果情報を、上記表示部に表示させる検索結果表示手段と、
を備えたことを特徴とする、地点履歴検索システム。
【請求項２】
請求項１に記載の地点履歴検索システムにおいて、
上記端末装置の上記制御部は、
上記利用者の上記現在位置情報を取得する現在位置情報取得手段と、
上記現在位置情報取得手段により取得された上記現在位置情報を、上記サーバ装置に送信する現在位置情報送信手段と、
を更に備え、
上記サーバ装置の上記制御部は、
上記端末装置から送信される、上記現在位置情報を受信する現在位置情報受信手段と、
上記現在位置情報受信手段により受信された上記現在位置情報の履歴に基づいて、上記現在位置が上記所定時間同一の上記施設または上記領域にある場合に、上記位置履歴情報を上記位置履歴情報記憶手段に格納する位置履歴情報格納手段と、
を更に備えたことを特徴とする、地点履歴検索システム。
【請求項３】
請求項１または２に記載の地点履歴検索システムにおいて、
上記検索手段は、
上記検索条件に従った上記位置履歴情報の検索結果の時間的な前後に存在する上記位置履歴情報を、上記位置履歴情報記憶手段から検索する前後履歴情報検索手段、
を更に備えたことを特徴とする、地点履歴検索システム。
【請求項４】
請求項１から３のいずれか一つに記載の地点履歴検索システムにおいて、
上記検索結果情報生成手段は、
上記前後履歴情報検索手段により検索された上記前後の上記位置履歴情報を表示するためのリンクを含む上記検索結果情報を生成することを特徴とする、地点履歴検索システム。
【請求項５】
請求項２に記載の地点履歴検索システムにおいて、
上記現在位置情報は、緯度経度または施設ＩＤであり、
上記位置履歴情報格納手段は、
上記緯度経度の変化または上記施設ＩＤの継続取得時間に基づいて、上記現在位置が上記所定時間同一の上記施設または上記領域にあることを判断することを特徴とする、地点履歴検索システム。
【請求項６】
請求項１から５のいずれか一つに記載の地点履歴検索システムにおいて、
上記サーバ装置の上記記憶部は、
地図データを記憶する地図データベース、
を更に備え、
上記検索結果情報生成手段は、
上記検索手段により検索された上記位置履歴情報の上記検索結果情報を、上記地図データの地図上に表示する上記検索結果情報を生成することを特徴とする、地点履歴検索システム。
【請求項７】
請求項６に記載の地点履歴検索システムにおいて、
上記検索結果情報生成手段は、
上記位置に関する上記検索条件に従って、上記検索手段により上記位置履歴情報記憶手段から複数の上記位置履歴情報が検索された場合、上記地図データの上記地図上に、当該位置履歴情報の上記滞在期間に関する情報に基づく上記複数の日時を表示する上記検索結果情報を生成することを特徴とする、地点履歴検索システム。
【請求項８】
請求項６に記載の地点履歴検索システムにおいて、
上記検索結果情報生成手段は、
上記日時に関する上記検索条件に従って、上記検索手段により上記位置履歴情報記憶手段から複数の上記位置履歴情報が検索された場合、上記地図データベースから上記複数の上記位置履歴情報の上記代表地点を含むエリアおよび縮尺の上記地図データを取得し、当該地図データの上記地図上に、当該複数の上記位置履歴情報の上記検索結果を表示する上記検索結果情報を生成することを特徴とする、地点履歴検索システム。
【請求項９】
請求項１から８のいずれか一つに記載の地点履歴検索システムにおいて、
上記検索結果情報生成手段は、
上記検索手段により検索された上記位置履歴情報に基づいて、訪問回数、訪問日、および、訪問時間のうち少なくとも一つを表示する検索結果情報を生成することを特徴とする、地点履歴検索システム。
【請求項１０】
請求項１から９のいずれか一つに記載の地点履歴検索システムにおいて、
上記検索条件入力手段は、
上記入力部を介して、上記表示部に表示させた日付を選択させるよう制御し、選択された日付を上記検索条件として取得することを特徴とする、地点履歴検索システム。
【請求項１１】
請求項１０に記載の地点履歴検索システムにおいて、
上記検索条件入力手段は、
上記表示部の対応する日付に、上記サーバ装置から送信される上記位置履歴情報の有無、種別、および、量のうち少なくとも一つを表示させることを特徴とする、地点履歴検索システム。
【請求項１２】
請求項６に記載の地点履歴検索システムにおいて、
上記サーバ装置の上記記憶部は、
利用者間の関連付け情報を記憶する利用者情報記憶手段、
を更に備え、
上記検索結果情報生成手段は、
上記検索手段により上記検索条件に従って検索された上記位置履歴情報の上記検索結果が、上記関連付け情報により関連付けられた上記利用者間で重複する場合に、当該利用者同士を同伴者と判断して同伴者数に応じた記号を付与して上記地図上に表示する上記検索結果情報を生成することを特徴とする、地点履歴検索システム。
【請求項１３】
請求項６に記載の地点履歴検索システムにおいて、
上記検索結果情報生成手段は、
上記検索手段により上記検索条件に従って検索された上記位置履歴情報の上記検索結果に基づいて訪問回数を判断し、上記訪問回数に応じた記号を付与して上記地図上に表示する上記検索結果情報を生成することを特徴とする、地点履歴検索システム。
【請求項１４】
請求項２に記載の地点履歴検索システムにおいて、
上記サーバ装置の上記記憶部は、
交通網を規定したネットワークデータを記憶するネットワークデータ記憶手段、
を更に備え、
上記位置履歴情報格納手段は、
上記現在位置情報の履歴に基づいて、上記ネットワークデータ記憶手段に記憶された上記ネットワークデータが規定する交通網上の路線を特定し、特定した上記路線の情報を更に上記位置履歴情報記憶手段に格納し、
上記検索結果情報生成手段は、
上記位置履歴情報記憶手段に記憶された上記路線の情報を、上記検索結果として更に示す上記検索結果情報を生成することを特徴とする、地点履歴検索システム。
【請求項１５】
請求項２に記載の地点履歴検索システムにおいて、
上記位置履歴情報格納手段は、
上記現在位置情報の履歴に基づいて移動経路を特定し、特定した上記移動経路の情報を更に上記位置履歴情報記憶手段に格納し、
上記検索結果情報生成手段は、
上記位置履歴情報記憶手段に記憶された上記移動経路の情報を、上記検索結果として更に表示する検索結果情報を生成することを特徴とする、地点履歴検索システム。
【請求項１６】
請求項１４に記載の地点履歴検索システムにおいて、
上記前後履歴情報検索手段は、
上記検索条件受信手段により、現在時刻を指定する上記検索条件が受信された場合、上記現在時刻から所定時間前までの上記位置履歴情報を上記位置履歴情報記憶手段から検索し、
上記検索結果情報生成手段は、
上記前後履歴情報検索手段により検索された上記位置履歴情報の上記路線上に現在位置を表示する上記検索結果情報を生成することを特徴とする、地点履歴検索システム。
【請求項１７】
請求項１４から１６のいずれか一つに記載の地点履歴検索システムにおいて、
上記サーバ装置の上記記憶部は、
時刻表データを記憶する時刻表記憶手段、
を更に備え、
上記位置履歴情報格納手段は、
上記現在位置情報の履歴から、上記時刻表記憶手段に記憶された上記時刻表データに基づいて、移動手段および／または移動区間を判定して上記位置履歴情報記憶手段に格納することを特徴とする、地点履歴検索システム。
【請求項１８】
請求項１７に記載の地点履歴検索システムにおいて、
上記検索結果情報生成手段は、
上記前後履歴情報検索手段により検索された上記位置履歴情報に、上記移動手段および／または上記移動区間の情報が格納されている場合、当該移動手段および／または当該移動区間ならびに当該移動手段および／または当該移動区間の名称を表示する上記検索結果情報を生成することを特徴とする、地点履歴検索システム。
【請求項１９】
請求項１から１８のいずれか一つに記載の地点履歴検索システムにおいて、
上記検索結果情報生成手段は、
上記検索手段により、上記検索条件に従って検索された上記位置履歴情報の上記検索結果に基づいて、滞在時間および／または移動時間の統計計算を行い、計算した統計結果を示す上記検索結果情報を生成することを特徴とする、地点履歴検索システム。
【請求項２０】
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段と、
日時または位置に関する検索条件を、上記入力部を介して入力させる検索条件入力手段と、
上記検索条件に従って、上記位置履歴情報記憶手段から上記位置履歴情報を検索する検索手段と、
上記検索手段により検索された上記位置履歴情報の検索結果を示す検索結果情報を生成する検索結果情報生成手段と、
上記検索結果情報生成手段により生成された上記検索結果情報を、上記表示部に表示させる検索結果表示手段と、
を備えたことを特徴とする、地点履歴検索システム。
【請求項２１】
記憶部と制御部と入力部と表示部とを少なくとも備えた地点履歴検索装置であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部は、
日時または位置に関する検索条件を、上記入力部を介して入力させる検索条件入力手段と、
上記検索条件に従って、上記位置履歴情報記憶手段から上記位置履歴情報を検索する検索手段と、
上記検索手段により検索された上記位置履歴情報の検索結果を示す検索結果情報を生成する検索結果情報生成手段と、
上記検索結果情報生成手段により生成された上記検索結果情報を、上記表示部に表示させる検索結果表示手段と、
を備えたことを特徴とする、地点履歴検索装置。
【請求項２２】
表示部を少なくとも備えた端末装置に通信可能に接続された、記憶部と制御部とを少なくとも備えたサーバ装置であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部は、
上記端末装置から送信される、日時または位置に関する検索条件を受信する検索条件受信手段と、
上記検索条件に従って、上記位置履歴情報記憶手段から上記位置履歴情報を検索する検索手段と、
上記検索手段により検索された上記位置履歴情報の検索結果を示す検索結果情報を生成する検索結果情報生成手段と、
上記検索結果情報生成手段により生成された上記検索結果情報を、上記端末装置に送信することにより上記表示部に表示させる検索結果送信手段と、
を備えたことを特徴とする、サーバ装置。
【請求項２３】
記憶部を少なくとも備えたサーバ装置に通信可能に接続された、入力部と制御部と表示部とを少なくとも備えた端末装置であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部は、
日時または位置に関する検索条件を、上記入力部を介して入力させる検索条件入力手段と、
上記検索条件入力手段により入力された上記検索条件を、上記サーバ装置に送信する検索条件送信手段と、
上記サーバ装置から送信される、上記検索条件に従って上記位置履歴情報記憶手段から検索された上記位置履歴情報の検索結果を示す検索結果情報を受信する検索結果受信手段と、
上記検索結果受信手段により受信された上記位置履歴情報の上記検索結果情報を、上記表示部に表示させる検索結果表示手段と、
を備えたことを特徴とする、端末装置。
【請求項２４】
制御部と入力部と表示部とを少なくとも備えた端末装置、および、記憶部と制御部とを少なくとも備えたサーバ装置を、通信可能に接続した地点履歴検索システムにおいて実行される地点履歴検索方法であって、
上記サーバ装置の上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記端末装置の上記制御部において実行される、
上記検索条件を、上記入力部を介して入力させる検索条件入力ステップと、
上記端末装置の上記制御部において実行される、
上記検索条件入力ステップにて入力された上記検索条件を、上記サーバ装置に送信する検索条件送信ステップと、
上記サーバ装置の上記制御部において実行される、
上記端末装置から送信される、日時または位置に関する検索条件を受信する検索条件受信ステップと、
上記サーバ装置の上記制御部において実行される、
上記検索条件に従って、上記位置履歴情報記憶手段から上記位置履歴情報を検索する検索ステップと、
上記サーバ装置の上記制御部において実行される、
上記検索ステップにて検索された上記位置履歴情報の検索結果を示す検索結果情報を生成する検索結果情報生成ステップと、
上記検索結果情報生成ステップにて生成された上記検索結果情報を、上記端末装置に送信する検索結果送信ステップと、
上記端末装置の上記制御部において実行される、
上記サーバ装置から送信される、上記位置履歴情報の上記検索結果情報を受信する検索結果受信ステップと、
上記端末装置の上記制御部において実行される、
上記検索ステップにて検索された上記位置履歴情報の検索結果情報を、上記表示部に表示させる検索結果表示ステップと、
を含むことを特徴とする、地点履歴検索方法。
【請求項２５】
地点履歴検索システムにおいて実行される地点履歴検索方法であって、
上記地点履歴検索システムは、
利用者の現在位置情報の履歴に基づいて、上記利用者の現在位置が所定時間同一の施設または領域にある場合に格納された、上記施設または上記領域の名称および地点情報と、滞在期間に関する情報と、を対応付けて、位置履歴情報として記憶する位置履歴情報記憶手段と、検索条件入力手段と、検索手段と、検索結果情報生成手段と、検索結果表示手段と、
を備え、
上記検索条件入力手段が、日時または位置に関する検索条件を、上記入力部を介して入力させる検索条件入力ステップと、
上記検索手段が、上記検索条件に従って、上記位置履歴情報記憶手段から上記位置履歴情報を検索する検索ステップと、
上記検索結果情報生成手段が、上記検索ステップにて検索された上記位置履歴情報の検索結果を示す検索結果情報を生成する検索結果情報生成ステップと、
上記検索結果表示手段が、上記検索結果情報生成ステップにて生成された上記検索結果情報を、上記表示部に表示させる検索結果表示ステップと、
を含むことを特徴とする、地点履歴検索方法。
【請求項２６】
記憶部と制御部と入力部と表示部とを少なくとも備えた地点履歴検索装置において実行される地点履歴検索方法であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において実行される、
日時または位置に関する検索条件を、上記入力部を介して入力させる検索条件入力ステップと、
上記検索条件に従って、上記位置履歴情報記憶手段から上記位置履歴情報を検索する検索ステップと、
上記検索ステップにて検索された上記位置履歴情報の検索結果を示す検索結果情報を生成する検索結果情報生成ステップと、
上記検索結果情報生成ステップにて生成された上記検索結果情報を、上記表示部に表示させる検索結果表示ステップと、
を含むことを特徴とする、地点履歴検索方法。
【請求項２７】
表示部を少なくとも備えた端末装置に通信可能に接続された、記憶部と制御部とを少なくとも備えたサーバ装置において実行される地点履歴検索方法であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において実行される、
上記端末装置から送信される、日時または位置に関する検索条件を受信する検索条件受信ステップと、
上記検索条件に従って、上記位置履歴情報記憶手段から上記位置履歴情報を検索する検索ステップと、
上記検索ステップにて検索された上記位置履歴情報の検索結果を示す検索結果情報を生成する検索結果情報生成ステップと、
上記検索結果情報生成ステップにて生成された上記検索結果情報を、上記端末装置に送信することにより上記表示部に表示させる検索結果送信ステップと、
を含むことを特徴とする、地点履歴検索方法。
【請求項２８】
記憶部を少なくとも備えたサーバ装置に通信可能に接続された、入力部と制御部と表示部とを少なくとも備えた端末装置において実行される地点履歴検索方法であって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において実行される、
日時または位置に関する検索条件を、上記入力部を介して入力させる検索条件入力ステップと、
上記検索条件入力ステップにて入力された上記検索条件を、上記サーバ装置に送信する検索条件送信ステップと、
上記サーバ装置から送信される、上記検索条件に従って上記位置履歴情報記憶手段から検索された上記位置履歴情報の検索結果を示す検索結果情報を受信する検索結果受信ステップと、
上記検索結果受信ステップにて受信された上記位置履歴情報の検索結果情報を、上記表示部に表示させる検索結果表示ステップと、
を含むことを特徴とする、地点履歴検索方法。
【請求項２９】
記憶部と制御部と入力部と表示部とを少なくとも備えた地点履歴検索装置に実行させるためのプログラムであって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において、
日時または位置に関する検索条件を、上記入力部を介して入力させる検索条件入力ステップと、
上記検索条件に従って、上記位置履歴情報記憶手段から上記位置履歴情報を検索する検索ステップと、
上記検索ステップにて検索された上記位置履歴情報の検索結果情報を、上記表示部に表示させる検索結果表示ステップと、
を実行させるためのプログラム。
【請求項３０】
表示部を少なくとも備えた端末装置に通信可能に接続された、記憶部と制御部とを少なくとも備えたサーバ装置に実行させるためのプログラムであって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において、
上記端末装置から送信される、日時または位置に関する検索条件を受信する検索条件受信ステップと、
上記検索条件に従って、上記位置履歴情報記憶手段から上記位置履歴情報を検索する検索ステップと、
上記検索ステップにて検索された上記位置履歴情報の検索結果を示す検索結果情報を生成する検索結果情報生成ステップと、
上記検索結果情報生成ステップにて生成された上記検索結果情報を、上記端末装置に送信することにより上記表示部に表示させる検索結果送信ステップと、
を実行させるためのプログラム。
【請求項３１】
記憶部を少なくとも備えたサーバ装置に通信可能に接続された、入力部と制御部と表示部とを少なくとも備えた端末装置において実行させるためのプログラムであって、
上記記憶部は、
利用者の現在位置情報の履歴に基づいて、上記利用者の現在位置が所定時間同一の施設または領域にある場合に格納された、上記施設または上記領域の名称および地点情報と、上記利用者の滞在期間に関する情報と、を対応付けて、位置履歴情報として記憶する位置履歴情報記憶手段、
を備え、
上記制御部において、
日時または位置に関する検索条件を、上記入力部を介して入力させる検索条件入力ステップと、
上記検索条件入力ステップにて入力された上記検索条件を、上記サーバ装置に送信する検索条件送信ステップと、
上記サーバ装置から送信される、上記検索条件に従って上記位置履歴情報記憶手段から検索された上記位置履歴情報の検索結果を示す検索結果情報を受信する検索結果受信ステップと、
上記検索結果受信ステップにて受信された上記位置履歴情報の上記検索結果情報を、上記表示部に表示させる検索結果表示ステップと、
を実行させるためのプログラム。